(57)【要約】【課題】この発明は、長期間にわたって、均一のホワイトバランスが得られるプラズマディスプレイ表示装置を提供することを目的とする。【解決手段】ＲＧＢの各入力映像信号をそれぞれ個別に増幅するためのゲイン可変型アンプを備えたプラズマディスプレイ表示装置において、輝度検出手段から出力される第１制御値および起動時間累積値算出手段から出力される第２制御値に基づいて、ゲイン補正値テーブルから第１制御値および第２制御値に対応した上記各アンプのゲイン補正値を求め、求めたゲイン補正値に基づいて上記各アンプのゲイン制御値を補正するゲイン制御手段を備えている。【選択図】　図１
2004061863.tif 000002
【特許請求の範囲】
【請求項１】
ＲＧＢの各入力映像信号をそれぞれ個別に増幅するためのゲ　イン可変型アンプを備えたプラズマディスプレイ表示装置において、
入力映像信号の平均輝度を算出し、算出された平均輝度に応じた第１制御値を出力する輝度検出手段、
プラズマディスプレイパネルの起動時間の累積値を算出し、算出された起動時間累積値に応じた第２制御値を出力する起動時間累積値算出手段、
ホワイトバランスを均一にするためのゲイン補正値テーブルであって、各第２制御値毎に、各第１制御値と上記各アンプのゲイン補正値との関係を予め記憶したゲイン補正値テーブルを格納した記憶手段、ならびに
輝度検出手段から出力される第１制御値および起動時間累積値算出手段から出力される第２制御値に基づいて、ゲイン補正値テーブルから第１制御値および第２制御値に対応した上記各アンプのゲイン補正値を求め、求めたゲイン補正値に基づいて上記各アンプのゲイン制御値を補正するゲイン制御手段、
を備えていることを特徴とするプラズマディスプレイ表示装置。
【発明の詳細な説明】
【０００１】
【発明の属する技術分野】
この発明は、プラズマディスプレイ表示装置に関する。
【０００２】
【従来の技術】
プラズマディスプレイ表示装置においては、消費電力の低減や輝度の安定化等の目的から、入力された映像信号の平均的な大きさや表示部の消費電力の増減によって、画面全体の輝度を制御する手段が広く用いられている。
【０００３】
例えば、入力信号の平均輝度とプラズマディスプレイのＡＰＣ（自動電力制御）部に対する制御値との関係を予め記憶しておき、入力信号の平均輝度に応じた制御値（輝度制御値）をＡＰＣ部に与えることにより、入力信号の平均輝度が上昇するにしたがって、単位面積当たりのプラズマ発光量（輝度）を低下させて、消費電力が大きくなりすぎないようしたプラズマディスプレイが既に開発されている。
【０００４】
しかしながら、このようなプラズマディスプレイにおいては、維持発光期間に加えられる維持パルスの周波数（維持周波数）が変化することによって、Ｒ、Ｇ、Ｂそれぞれの蛍光体の発光効率や残光特性の違いなどから、ホワイトバランスが変化してしまうという問題がある。
【０００５】
そこで、ホワイトバランスを均一化させるために、ＡＰＣ部に与えられる輝度制御値とＲＧＢ信号毎のゲインの補正データとの関係を示すテーブルを予め用意しておき、輝度制御値に対応した補正データに基づいて、ＲＧＢ信号毎のゲインを制御するようにしたプラズマディスプレイが開発されている（特開２００２−４４６８１号公報参照）。
【０００６】
【発明が解決しようとする課題】
ところで、プラズマディスプレイパネル（ＰＤＰ）を長時間使用続けていると、Ｒ、Ｇ、Ｂの各蛍光体は経過時間とともに劣化していくが、Ｒ、Ｇ、Ｂの各蛍光体それぞれの劣化特性が異なるため、ホワイトバランスが変化してしまう。
【０００７】
この発明は、長期間にわたって、均一のホワイトバランスが得られるプラズマディスプレイ表示装置を提供することを目的とする。
【０００８】
【課題を解決するための手段】
この発明は、ＲＧＢの各入力映像信号をそれぞれ個別に増幅するためのゲイン可変型アンプを備えたプラズマディスプレイ表示装置において、入力映像信号の平均輝度を算出し、算出された平均輝度に応じた第１制御値を出力する輝度検出手段、プラズマディスプレイパネルの起動時間の累積値を算出し、算出された起動時間累積値に応じた第２制御値を出力する起動時間累積値算出手段、ホワイトバランスを均一にするためのゲイン補正値テーブルであって、各第２制御値毎に、各第１制御値と上記各アンプのゲイン補正値との関係を予め記憶したゲイン補正値テーブルを格納した記憶手段、ならびに輝度検出手段から出力される第１制御値および起動時間累積値算出手段から出力される第２制御値に基づいて、ゲイン補正値テーブルから第１制御値および第２制御値に対応した上記各アンプのゲイン補正値を求め、求めたゲイン補正値に基づいて上記各アンプのゲイン制御値を補正するゲイン制御手段を備えていることを特徴とする。
【０００９】
【発明の実施の形態】
以下、図面を参照して、この発明の実施の形態について説明する。
【００１０】
図１は、プラズマディスプレイ表示装置の構成を示している。
【００１１】
Ｒ、Ｇ、Ｂの映像信号は、入力端子１、２、３にそれぞれ入力され、ゲイン可変型アンプ４、５、６によって個別に増幅される。アンプ４、５、６によって増幅された信号は、それぞれＡ／Ｄ変換器７、８、９によってデジタルの信号に変換された後、ガンマ補正回路１０によってガンマ補正される。ガンマ補正回路１０によって得られた信号は、表示装置対応の解像度の変換を行なう解像度変換回路１１を経て、プラズマディスプレイ１２に入力される。
【００１２】
解像度変換回路１１から出力される映像信号は、プラズマディスプレイ１２内のプラズマディスプレイパネル（ＰＤＰ）１３に与えられるとともに、輝度検出回路１４にも与えられる。輝度検出回路１４は、映像信号の平均輝度レベル（ＡＰＬ：Ａｖｅｒａｇｅ　Ｐｉｃｔｕｒｅ　Ｌｅｖｅｌ）　を検出し、検出された平均輝度レベルに応じた第１制御値をＰＤＰ１３内のＡＰＣ（自動電力制御）部に与える。
【００１３】
ＰＤＰ１３の輝度を変化させるには、維持発光期間に加えられる維持パルスの周波数（維持周波数）を変化させればよく、表示する映像信号のＡＰＬ等に応じて、維持パルスの周波数を変化させると、所望の輝度特性が得られる。例えば、入力される映像信号のＡＰＬが大きくなるほど輝度が小さくなるような輝度特性を得るには、検出されたＡＰＬをその大きさに応じた第１制御値に置き換え、その第１制御値が小さいほど維持周波数を高くすればよい。このようにすれば、ＡＰＬが低い信号ほど維持周波数が高くなり、輝度が高くなる。
【００１４】
この例では、輝度検出回路１４は、ＡＰＬの範囲を３２段階に分け、検出されたＡＰＬを０〜３１の第１制御値に置き換えてＰＤＰ１３内のＡＰＣに与えている。
【００１５】
プラズマディスプレイ１２内の起動時間累積値算出回路１５は、ＰＤＰ１３が製造されてから、ＰＤＰが起動されていることをＰＤＰ１３の起動信号等に基づいて監視することにより、ＰＤＰ１３の起動時間の累積値を算出する。そして、算出された累積値を、予め定められた４段階の第２制御値０〜３に置き換えて出力する。
【００１６】
アンプ４、５、６のゲインは、マイコン１６によって制御される。マイコン１６は、不揮発性メモリ１７を備えたゲイン制御手段を備えている。
【００１７】
不揮発性メモリ１７には、図２に示すように、ホワイトバランスを均一化させるために、輝度検出回路１４および起動時間累積値算出回路１５から入力される第１制御値（輝度制御値）および第２制御値（起動時間制御値）により、Ｒ、Ｇ、Ｂの各アンプ４、５、６のゲインをどれだけ変化させるかを決めるゲイン補正値テーブルが記憶されている。
【００１８】
つまり、不揮発性メモリ１７には、ホワイトバランスを均一化させるためのゲイン補正値テーブルであって、各第２制御値（起動時間制御値）毎に、各第１制御値（輝度制御値）と各アンプ４、５、６のゲイン補正値との関係を記憶したゲイン補正値テーブルが記憶されている。
【００１９】
一般的に、Ｒ、Ｇ、Ｂの各蛍光体のうち、Ｂの蛍光体の劣化速度が他の蛍光体の劣化速度に比べて速いため、起動時間累積値が大きくなるほど、つまり、第２制御値が大きいほど、Ｂ信号に対するゲインに対して、Ｒ、Ｇの蛍光体に対するゲインを下げる割合を大きくしている。
【００２０】
ゲイン制御手段１８は、輝度検出回路１４および起動時間累積値算出回路１５から第１制御値（輝度制御値）および第２制御値（起動時間制御値）が入力されると、不揮発性メモリ１７内のゲイン補正値テーブルから、第１制御値および第２制御値に対応したＲ、Ｇ、Ｂのゲイン補正値を読み出し、得られたＲ、Ｇ、Ｂのゲイン補正値に基づいて、アンプ４、５、６のゲイン制御値を変化させる。
【００２１】
例えば、第１制御値（輝度制御値）が”３”で第２制御値（起動時間制御値）が”２”である場合には、Ｒ、Ｇ、Ｂのゲイン補正値として、それぞれ”−３”、”−３”、”０”が不揮発性メモリ１７内のゲイン補正値テーブルから読み出される。そして、ゲイン制御手段１８がゲイン制御値を図３に示すような制御値に制御していた場合に、Ｒ、Ｇ、Ｂのゲイン補正値として、それぞれ”−３”、”−３”、”０”がゲイン補正値テーブルから読み出された場合には、ゲイン制御手段１８はゲイン制御値を図４に示すように補正する。
【００２２】
上記実施の形態では、Ｒ、Ｇ、Ｂの各アンプ４、５、６のゲインは、第１制御値（輝度制御値）および第２制御値（起動時間制御値）に応じて補正されているので、長期間にわたって均一のホワイトバランスが得られるようになる。
【００２３】
【発明の効果】
この発明によれば、長期間にわたって、均一のホワイトバランスが得られるようになる。
【図面の簡単な説明】
【図１】プラズマディスプレイ表示装置の構成を示すブロック図である。
【図２】ゲイン補正値テーブルの内容例を示す模式図である。
【図３】ゲイン制御手段１８によって設定されているゲイン制御値の一例を示す模式図である。
【図４】図３のゲイン制御値が、ゲイン補正値によって補正された後のゲイン制御値を示す模式図である。
【符号の説明】
４、５、６　アンプ
１２　プラズマディスプレイ
１３　ＰＤＰ
１４　輝度検出回路
１５　起動時間累積値算出回路
１６　マイコン
１７　不揮発性メモリ
１８　ゲイン制御手段
【図１】
2004061863.tif 000003
【図２】
2004061863.tif 000004
【図３】
2004061863.tif 000005
【図４】
2004061863.tif 000006